(57)【特許請求の範囲】
【請求項１】
空調用空気の流れ方向の下流端に吹出口を有する通風路が形成されたリテーナと、
前記通風路において前記流れ方向に交差する方向へ配列され、かつフィン軸によりそれぞれ前記リテーナに傾動可能に支持されるとともに、前記フィン軸から偏倚した箇所にそれぞれ連結ピンを有する複数のフィンと、
複数の前記フィンを前記連結ピンにおいて連結する連結プレートと、
前記流れ方向における前記連結プレートの位置を変更する駆動機構と
を備え、前記フィン毎の連結ピンが、前記連結プレートに設けられたカム溝に係合されることで全ての前記フィンの前記連結プレートに対する連結がなされており、
各カム溝は、隣り合うフィンを互いに平行な平行送風モードにする平行送風領域を有するとともに、隣り合うフィンを、それらの上流端の間隔が下流端の間隔よりも狭い拡散送風モードにする拡散送風領域を有しており、
前記駆動機構には、前記フィン軸を支点として前記フィンを傾動させる操作が行なわれた場合、各連結ピンが前記平行送風領域にあるときにのみ、各カム溝において各連結ピンの位置する領域を前記平行送風領域に保持しつつ、前記連結プレートが前記フィンの配列方向へ移動するのを許容する許容部が設けられており、
前記駆動機構は、前記流れ方向における前記連結プレートの位置を変更することで、複数の前記フィンの送風モードを、前記平行送風モードと前記拡散送風モードとの間で切り替えるための操作部材と、前記フィンの配列方向に沿って配置されて互いに噛み合わされるとともに、前記操作部材の操作に応じて互いに反対方向へ回動する一対のギヤとを備え、
前記許容部は、前記連結プレートにおいて、それぞれ前記フィンの配列方向に延びる一対のガイド孔と、各ギヤの回動中心から偏倚した箇所に設けられて、前記ガイド孔に係合された一対のガイド突起とを備え、
前記許容部は、前記操作部材により複数の前記フィンが前記拡散送風モードにされた場合にのみ、両ガイド突起を、各ガイド孔のうち他方のガイド孔から最も遠い箇所に位置させることで、前記連結プレートが前記フィンの配列方向へ移動するのを規制する空調用レジスタ。
【請求項２】
前記操作部材は前記リテーナに回動可能に支持され、
一方の前記ギヤにおいて、その回動中心及び前記ガイド突起のいずれからも偏倚した箇所には伝達軸が設けられ、
前記操作部材において、その回動中心から偏倚した箇所には、前記伝達軸が係合される被係合部が設けられ、
前記平行送風モードと前記拡散送風モードとの間での前記送風モードの切り替えは、前記操作部材の回動が前記被係合部及び前記伝達軸を介して前記一方のギヤに伝達されることで行なわれる請求項１に記載の空調用レジスタ。
【請求項３】
前記リテーナには、前記通風路の開度を調整するシャットダンパが、ダンパ軸により傾動可能に支持されており、
前記操作部材と前記ダンパ軸との間には、その操作部材の回動を前記ダンパ軸に伝達する伝達機構が設けられている請求項２に記載の空調用レジスタ。
【請求項４】
前記伝達機構は、前記流れ方向へ移動可能に配置されたリンク部材を備え、
前記リンク部材の上流側の端部は、前記ダンパ軸の回動中心から偏倚した箇所に連結され、
前記リンク部材の下流側の端部は、前記操作部材の回動中心及び前記被係合部のいずれからも偏倚した箇所に連結されている請求項３に記載の空調用レジスタ。
【請求項５】
前記ギヤにおける前記伝達軸が第１伝達軸とされ、かつ前記操作部材において前記第１伝達軸が係合される前記被係合部が第１被係合部とされた場合において、
前記リンク部材の下流側の端部には第２伝達軸が設けられ、
前記操作部材において、その回動中心及び前記第１被係合部のいずれからも偏倚した箇所には、前記第２伝達軸が係合される第２被係合部が設けられ、
前記第１被係合部は、溝部又は長孔により構成され、かつ前記操作部材の回動を前記第１伝達軸に伝達する第１伝達領域と伝達しない第１非伝達領域とを有し、
前記第２被係合部は、溝部又は長孔により構成され、かつ前記操作部材の回動を前記第２伝達軸に伝達する第２伝達領域と伝達しない第２非伝達領域とを有し、
前記第２伝達軸は、前記第１伝達軸が前記第１伝達領域に位置するときには前記第２非伝達領域に位置し、かつ前記第１伝達軸が前記第１非伝達領域に位置するときには前記第２伝達領域に位置するものである請求項４に記載の空調用レジスタ。
【請求項６】
前記第１伝達領域のうち、前記送風モードが前記平行送風モードのときに前記第１伝達軸が位置する領域は、前記拡散送風モードのときに前記第１伝達軸が位置する領域を介して前記第１非伝達領域に繋がっており、
前記第２伝達領域のうち、前記通風路の開度が採り得る最小となるときに前記第２伝達軸が位置する領域は、同開度が採り得る最大となるときに前記第２伝達軸が位置する領域を介して前記第２非伝達領域に繋がっている請求項５に記載の空調用レジスタ。
【発明の詳細な説明】
【技術分野】
【０００１】
本発明は、空調装置から送られてきた空調用空気を通風路の吹出口から吹き出す空調用レジスタに関する。
【背景技術】
【０００２】
車両のインストルメントパネルには、空調装置の送風ダクトから送られてきて車室内に吹き出す空調用空気の向きを変更等するための空調用レジスタが組込まれている。この空調用レジスタの一形態として、空調用空気が流れる通風路を有するリテーナと、通風路に配列され、かつフィン軸によりリテーナに対しそれぞれ傾動可能に支持された複数のフィンとを備えるものが知られている。
【０００３】
各フィンは、フィン軸から偏倚した箇所に連結ピンを有している。さらに、互いに平行に配列された状態の各フィンの連結ピンが連結リンクによって連結されている。そのため、全てのフィンは、互いに平行な状態を維持しながら傾動される。空調用空気は、隣り合うフィン間等を、同フィンに沿う方向へ向けて、互いに平行な状態で流れて吹出口から吹き出す。このような態様で空調用空気が吹き出す送風モードは、平行送風モードと呼ばれる。
【０００４】
さらに、近年では、上記平行送風モードに加え、拡散送風モードで空調用空気を吹出口から吹き出させることのできる空調用レジスタが考えられている（例えば、特許文献１参照）。拡散送風モードでは、隣り合うフィンが、それらの上流端の間隔が下流端の間隔よりも狭くなるように傾動される。この場合、空調用空気は、隣り合うフィン間等を同フィンに沿って流れることで、下流側ほど広い領域に行き渡るように拡散される。送風モードとして平行送風モードが選択された場合よりも乗員の広い部位に対し、弱い空調用空気が吹付けられる。
【０００５】
上記拡散送風モードを実現するために、上記特許文献１では、連結リンクに加え、ガイドリンクが用いられている。連結リンクにはフィンと同数の支持孔が形成され、ガイドリンクにはフィンと同数のガイド孔が形成されている。そして、支持孔とガイド孔との交差部分に、フィン毎の連結ピンが係合されている。
【０００６】
そのため、ガイドリンクを空調用空気の流れ方向へ移動させると、ガイドリンクと連結リンクとの相対位置が変化する。これに伴い、支持孔とガイド孔との交差部分の位置が変化して各フィンが傾動し、送風モードが、平行送風モードから拡散送風モードへ、又はその逆に拡散送風モードから平行送風モードに切り替えられる。
【０００７】
さらに、平行送風モード下で、ガイドリンク及び連結リンクが昇降されると、フィンが互いに平行な状態で傾動され、平行に吹き出された空調用空気の向かう方向が変更される。
【先行技術文献】
【特許文献】
【０００８】
【特許文献１】特開２００２−２９３１３３号公報
【発明の概要】
【発明が解決しようとする課題】
【０００９】
上記特許文献１に直接の記載はないが、拡散送風モード下で、ガイドリンク及び連結リンクを昇降させることも考えられる。この場合、隣のフィンに対し、そのフィンとの間隔が下流側ほど拡大する関係にある複数のフィンが、その状態を維持した状態で傾動され、拡散された空調用空気の向かう方向が変更される。こうすることで、拡散された空調用空気が吹付けられる乗員の部位を変えることができる。
【００１０】
しかし、この場合には、拡散送風モードにされた複数のフィンのうち、端に位置するものが、同拡散送風モードで傾動されたときに、リテーナにおいてフィンの配列方向に相対向する壁面に当たらないようにする必要がある。そのためには、拡散送風モードでのフィンの傾きを小さくすることになるが、反面、拡散される空調用空気の範囲が狭くなってしまう。
【００１１】
本発明は、このような実情に鑑みてなされたものであって、その目的は、拡散送風モードで拡散される空調用空気の範囲を広くすることのできる空調用レジスタを提供することにある。
【課題を解決するための手段】
【００１２】
上記課題を解決する空調用レジスタは、空調用空気の流れ方向の下流端に吹出口を有する通風路が形成されたリテーナと、前記通風路において前記流れ方向に交差する方向へ配列され、かつフィン軸によりそれぞれ前記リテーナに傾動可能に支持されるとともに、前記フィン軸から偏倚した箇所にそれぞれ連結ピンを有する複数のフィンと、複数の前記フィンを前記連結ピンにおいて連結する連結プレートと、前記流れ方向における前記連結プレートの位置を変更する駆動機構とを備え、前記フィン毎の連結ピンが、前記連結プレートに設けられたカム溝に係合されることで全ての前記フィンの前記連結プレートに対する連結がなされており、各カム溝は、隣り合うフィンを互いに平行な平行送風モードにする平行送風領域を有するとともに、隣り合うフィンを、それらの上流端の間隔が下流端の間隔よりも狭い拡散送風モードにする拡散送風領域を有しており、前記駆動機構には、前記フィン軸を支点として前記フィンを傾動させる操作が行なわれた場合、各連結ピンが前記平行送風領域にあるときにのみ、各カム溝において各連結ピンの位置する領域を前記平行送風領域に保持しつつ、前記連結プレートが前記フィンの配列方向へ移動するのを許容する許容部が設けられている。
【００１３】
上記の構成によれば、フィン軸を支点としてフィンを傾動させる操作が行なわれた場合、駆動機構の許容部は、各連結ピンが平行送風領域にある場合に限り、各カム溝において各連結ピンの位置する領域を平行送風領域に保持しつつ、連結プレートがフィンの配列方向へ移動するのを許容する。
【００１４】
従って、送風モードとして平行送風モードが設定されているときに、フィン軸を支点としてフィンを傾動させる操作が行なわれると、各連結ピンがカム溝の平行送風領域に保持されつつ連結プレートがフィンの配列方向へ移動する。フィンが互いに平行な状態で傾動され、吹出口から平行に吹き出される空調用空気の向かう方向が変更される。
【００１５】
これに対し、送風モードとして拡散送風モードが設定されているときに、フィン軸を支点としてフィンを傾動させる操作が行なわれても、各連結ピンがカム溝の拡散送風領域に保持されつつ連結プレートがフィンの配列方向へ移動することが許容されない。隣り合うフィンは、それらの上流端の間隔が下流端の間隔よりも狭い状態を保持しつつ傾動することができず、拡散される空調用空気の向かう方向が変更されない。
【００１６】
従って、拡散送風モードを維持しながらフィンが傾動される場合に比べると、拡散送風モードにされた複数のフィンのうち、端に位置するものを、リテーナにおいてフィンの配列方向に相対向する壁面に接近させることが可能となる。この接近により、拡散される空調用空気の範囲が、拡散送風モードを維持しながらフィンが傾動される場合よりも広くなる。
【００１７】
上記空調用レジスタにおいて、前記駆動機構は、前記流れ方向における前記連結プレートの位置を変更することで、複数の前記フィンの送風モードを、前記平行送風モードと前記拡散送風モードとの間で切り替えるための操作部材と、前記フィンの配列方向に沿って配置されて互いに噛み合わされるとともに、前記操作部材の操作に応じて互いに反対方向へ回動する一対のギヤとを備え、前記許容部は、前記連結プレートにおいて、それぞれ前記フィンの配列方向に延びる一対のガイド孔と、各ギヤの回動中心から偏倚した箇所に設けられて、前記ガイド孔に係合された一対のガイド突起とを備え、前記許容部は、前記操作部材により複数の前記フィンが前記拡散送風モードにされた場合にのみ、両ガイド突起を、各ガイド孔のうち他方のガイド孔から最も遠い箇所に位置させることで、前記連結プレートが前記フィンの配列方向へ移動するのを規制することが好ましい。
【００１８】
上記の構成によれば、送風モードを平行送風モードと拡散送風モードとの間で切り替えるために操作部材が操作されると、その操作に応じて一対のギヤが互いに反対方向へ回動する。この回動に伴い、ギヤ毎のガイド突起が同ギヤの回動中心の周りを互いに反対方向へ旋回する。この旋回に伴い、フィンの配列方向に延びるガイド孔におけるガイド突起の位置が変化することで、両ガイド突起が互いに接近したり離間したりするとともに、連結プレートが上記流れ方向へ移動させられる。
【００１９】
そして、操作部材により送風モードが拡散送風モードに設定された場合には、両ガイド突起が互いに最も離間し、各ガイド孔のうち他方のガイド孔から最も遠い箇所に位置する。そのため、連結プレートが、ガイド孔の延びる方向、すなわち、フィンの配列方向へ移動することが両ガイド突起によって規制される。
【００２０】
従って、送風モードとして拡散送風モードが設定されているときに、フィン軸を支点としてフィンを傾動させる操作が行なわれても、各連結ピンがカム溝の拡散送風領域に保持されつつ連結プレートがフィンの配列方向へ移動することを許容されない。
【００２１】
また、操作部材により送風モードが平行送風モードに設定された場合には、少なくとも一方のガイド突起は、両ガイド孔において、上記拡散送風モードとは異なる箇所に位置する。両ガイド突起による上記移動規制がなされず、連結プレートは、フィンの配列方向へ移動することを許容される。従って、平行送風モードで、フィン軸を支点としてフィンを傾動させる操作が行なわれると、各連結ピンがカム溝の平行送風領域に保持されつつ連結プレートがフィンの配列方向へ移動する。
【００２２】
上記空調用レジスタにおいて、前記操作部材は前記リテーナに回動可能に支持され、一方の前記ギヤにおいて、その回動中心及び前記ガイド突起のいずれからも偏倚した箇所には伝達軸が設けられ、前記操作部材において、その回動中心から偏倚した箇所には、前記伝達軸が係合される被係合部が設けられ、前記平行送風モードと前記拡散送風モードとの間での前記送風モードの切り替えは、前記操作部材の回動が前記被係合部及び前記伝達軸を介して前記一方のギヤに伝達されることで行なわれることが好ましい。
【００２３】
上記の構成によれば、操作部材が回動されると、その回動が被係合部及び伝達軸を介して一方のギヤに伝達されて、同ギヤが回動する。この回動に伴い、上記一方のギヤに対する他方のギヤの噛み合い位置が変化し、同他方のギヤが一方のギヤとは反対方向へ回動する。上記回動に伴い、ギヤ毎のガイド突起が同ギヤの回動中心の周りを旋回する。この旋回に伴い、フィンの配列方向に延びるガイド孔におけるガイド突起の位置が変化することで、両ガイド突起が互いに接近したり離間したりするとともに、連結プレートが上記流れ方向へ移動させられる。
【００２４】
上記空調用レジスタにおいて、前記リテーナには、前記通風路の開度を調整するシャットダンパが、ダンパ軸により傾動可能に支持されており、前記操作部材と前記ダンパ軸との間には、その操作部材の回動を前記ダンパ軸に伝達する伝達機構が設けられていることが好ましい。
【００２５】
上記の構成によれば、操作部材が回動操作されると、その回動が伝達機構及びダンパ軸を介してシャットダンパに伝達される。この伝達により、シャットダンパがダンパ軸を支点として傾動し、通風路の開度が調整される。リテーナの吹出口から吹き出される空調用空気の量が調整される。
【００２６】
このように、単一の操作部材を回動操作することで、送風モードを切り替えること、及び平行送風モードでの空調用空気の吹き出し方向の変更を許容することに加え、シャットダンパを駆動して通風路の開度を調整することが可能となる。
【００２７】
上記空調用レジスタにおいて、前記伝達機構は、前記流れ方向へ移動可能に配置されたリンク部材を備え、前記リンク部材の上流側の端部は、前記ダンパ軸の回動中心から偏倚した箇所に連結され、前記リンク部材の下流側の端部は、前記操作部材の回動中心及び前記被係合部のいずれからも偏倚した箇所に連結されていることが好ましい。
【００２８】
上記の構成によれば、操作部材が回動操作されて、リンク部材の下流側の端部が、操作部材の回動中心の周りを旋回すると、リンク部材が空調用空気の流れ方向へ移動する。これに伴い、リンク部材の上流側の端部の流れ方向における位置が変化し、シャットダンパがダンパ軸を支点として傾動させられる。このようにして、操作部材の回動が、リンク部材を介してシャットダンパに伝達されて、同シャットダンパが傾動される。
【００２９】
上記空調用レジスタにおいて、前記ギヤにおける前記伝達軸が第１伝達軸とされ、かつ前記操作部材において前記第１伝達軸が係合される前記被係合部が第１被係合部とされた場合において、前記リンク部材の下流側の端部には第２伝達軸が設けられ、前記操作部材において、その回動中心及び前記第１被係合部のいずれからも偏倚した箇所には、前記第２伝達軸が係合される第２被係合部が設けられ、前記第１被係合部は、溝部又は長孔により構成され、かつ前記操作部材の回動を前記第１伝達軸に伝達する第１伝達領域と伝達しない第１非伝達領域とを有し、前記第２被係合部は、溝部又は長孔により構成され、かつ前記操作部材の回動を前記第２伝達軸に伝達する第２伝達領域と伝達しない第２非伝達領域とを有し、前記第２伝達軸は、前記第１伝達軸が前記第１伝達領域に位置するときには前記第２非伝達領域に位置し、かつ前記第１伝達軸が前記第１非伝達領域に位置するときには前記第２伝達領域に位置するものであることが好ましい。
【００３０】
上記の構成によれば、操作部材が回動操作されると、第１被係合部及び第２被係合部が操作部材の回動中心の周りを旋回する。この旋回により、第１被係合部における第１伝達軸の位置と、第２被係合部における第２伝達軸の位置とが変化する。
【００３１】
第１伝達軸が第１被係合部における第１伝達領域に位置するときには、第２伝達軸は、第２被係合部における第２非伝達領域に位置する。そのため、操作部材の回動が第１伝達軸に伝達され、両ギヤの回動と、連結プレートの上記流れ方向への移動とにより、複数のフィンの送風モードの切り替えが行なわれる。また、このときには、操作部材の回動が第２伝達軸に伝達されない。リンク部材が移動せず、シャットダンパが傾動せず、通風路の開度調整が行なわれない。
【００３２】
これに対し、第１伝達軸が第１被係合部における第１非伝達領域に位置するときには、第２伝達軸は、第２被係合部における第２伝達領域に位置する。そのため、操作部材の回動が第１伝達軸に伝達されず、両ギヤが回動されない。連結プレートが上記流れ方向へ移動せず、複数のフィンの送風モードの切り替えが行なわれない。また、このときには、操作部材の回動が第２伝達軸に伝達されてリンク部材が移動される。シャットダンパが傾動されて、通風路の開度調整が行なわれる。
【００３３】
上記空調用レジスタにおいて、前記第１伝達領域のうち、前記送風モードが前記平行送風モードのときに前記第１伝達軸が位置する領域は、前記拡散送風モードのときに前記第１伝達軸が位置する領域を介して前記第１非伝達領域に繋がっており、前記第２伝達領域のうち、前記通風路の開度が採り得る最小となるときに前記第２伝達軸が位置する領域は、同開度が採り得る最大となるときに前記第２伝達軸が位置する領域を介して前記第２非伝達領域に繋がっていることが好ましい。
【００３４】
上記の構成によれば、操作部材の回動操作により、送風モードが平行送風モードに設定された場合には、第１伝達軸は、第１伝達領域のうち第１非伝達領域から遠ざかった箇所に位置する。また、第２伝達軸は、第２非伝達領域のうち第２伝達領域から遠ざかった箇所に位置する。
【００３５】
送風モードが拡散送風モードに設定された場合には、第１伝達軸は、第１伝達領域のうち第１非伝達領域に隣接する箇所に位置する。また、第２伝達軸は、第２非伝達領域のうち第２伝達領域に隣接する箇所に位置する。
【００３６】
さらに、送風モードが平行送風モードから拡散送風モードに切り替えられる場合には、第１伝達軸は、第１伝達領域のうち第１非伝達領域から遠ざかった箇所から隣接する箇所に移動する。また、第２伝達軸は、第２非伝達領域のうち第２伝達領域から遠ざかった箇所から第２非伝達領域に隣接する箇所に移動する。
【００３７】
上記とは逆に、送風モードが拡散送風モードから平行送風モードに切り替えられる場合には、第１伝達軸は、第１伝達領域のうち第１非伝達領域に隣接した箇所から遠ざかった箇所に移動する。また、第２伝達軸は、第２非伝達領域のうち第１伝達領域に隣接する箇所から第２非伝達領域から遠ざかった箇所に移動する。
【００３８】
従って、操作部材が一方向へ回動操作されると、送風モードが平行送風モードから拡散送風モードへ切り替えられる。送風モードが拡散送風モードに切り替えられた状態から、操作部材が上記方向へさらに回動操作されると、シャットダンパが通風路の開度を小さくする方向へ傾動される。従って、リテーナの吹出口から吹き出される空調用空気の勢いは、操作部材の操作に応じて徐々に弱まっていく。
【００３９】
また、通風路の開度が最小の状態から、操作部材が上記とは逆の方向へ回動操作されると、シャットダンパが通風路の開度を大きくする方向へ傾動される。開度が採り得る最大にされた状態から、操作部材が上記方向へさらに回動操作されると、送風モードが拡散送風モード及び平行送風モードの順に切り替えられる。従って、リテーナの吹出口から吹き出される空調用空気の勢いは、操作部材の操作に応じて徐々に強まっていく。
【発明の効果】
【００４０】
上記空調用レジスタによれば、拡散送風モードで拡散される空調用空気の範囲を広くすることができる。
【図面の簡単な説明】
【００４１】
【図１】一実施形態における空調用レジスタの斜視図。
【図２】図１の空調用レジスタの正面図。
【図３】図１の空調用レジスタの平面図。
【図４】図１の空調用レジスタの左側面図。
【図５】図１における空調用レジスタの構成部品の一部を示す分解斜視図。
【図６】図１における空調用レジスタの構成部品の一部を示す分解斜視図。
【図７】図１における空調用レジスタの構成部品の一部を示す分解斜視図。
【図８】図２の８−８線断面図。
【図９】図２の９−９線断面図。
【図１０】一実施形態において、シャットダンパにより通風路の開度が最大にされ、かつ上流フィンが中立状態にされた空調用レジスタの右側面図。
【図１１】図２の１１−１１線断面図。
【図１２】一実施形態において、平行送風モードが設定されて、上流フィンが下流側ほど高くなるように傾動された空調用レジスタを示す図であり、（ａ）は図１０に対応する部分右側面図、（ｂ）は図１１に対応する部分側断面図。
【図１３】一実施形態において、平行送風モードが設定されて、上流フィンが下流側ほど低くなるように傾動された空調用レジスタを示す図であり、（ａ）は図１０に対応する部分右側面図、（ｂ）は図１１に対応する部分側断面図。
【図１４】一実施形態において、拡散送風モードが設定された空調用レジスタを示す図であり、（ａ）は図１０に対応する部分右側面図、（ｂ）は図１１に対応する部分側断面図。
【図１５】一実施形態において、シャットダンパにより通風路の開度が最小にされた空調用レジスタの平面図。
【発明を実施するための形態】
【００４２】
以下、車両用の空調用レジスタに具体化した一実施形態について、図面を参照して説明する。
なお、以下の記載においては、車両の進行方向（前進方向）を前方とし、後進方向を後方とし、高さ方向を上下方向として説明する。また、車幅方向（左右方向）については、車両を後方から見た場合を基準として方向を規定する。
【００４３】
車室内において、車両の前席（運転席及び助手席）の前方にはインストルメントパネルが設けられ、その左右方向（車幅方向）における中央部、側部等には空調用レジスタが組込まれている。この空調用レジスタの主な機能は、空調装置から送られてきて、吹出口から車室内に吹き出す空調用空気の向きを変更すること、同空調用空気の吹出し量を調整すること等である。吹出し量の調整には、吹き出しを遮断することが含まれる。
【００４４】
図１及び図２に示すように、空調用レジスタは、リテーナ１０、下流フィン群、操作ノブ４８、上流フィン群、シャットダンパ６１、連結プレート７１、駆動機構ＤＭ及び伝達機構ＴＭを備えている。次に、空調用レジスタを構成する各部の構成について説明する。
【００４５】
＜リテーナ１０＞
リテーナ１０は、空調装置の送風ダクト（図示略）と、インストルメントパネルに設けられた開口（図示略）とを繋ぐためのものであり、リテーナ本体１１及びベゼル２７を備えている。
【００４６】
リテーナ１０の内部空間は、空調用空気Ａ１の流路（以下「通風路２２」という）を構成している。ここで、空調用空気Ａ１の流れ方向に関し、空調装置に近い側を「上流」、「上流側」等といい、同空調装置から遠い側を「下流」、「下流側」等というものとする。
【００４７】
図３、図４及び図６に示すように、リテーナ本体１１は、空調用空気Ａ１の流れ方向に沿って配置された２つの部材によって構成されている。両部材を区別するために、流れ方向の上流側に位置するものを上流リテーナ１２といい、下流側に位置するものを下流リテーナ１５というものとする。
【００４８】
上流リテーナ１２は、上流端と下流端とが開放され、かつ上下方向の寸法が左右方向の寸法よりも大きな縦長の筒状をなしている。
下流リテーナ１５は、上流リテーナ１２と同様に、上流端及び下流端が開放され、かつ上下方向の寸法が左右方向の寸法よりも大きな筒状をなしている。下流リテーナ１５は、自身の上流端部に設けられた係止孔１６において、上記上流リテーナ１２の対応する箇所に設けられた係止突起１３に係止されることにより、同上流リテーナ１２に連結されている。
【００４９】
上記通風路２２は、リテーナ本体１１の４つの壁部によって取り囲まれている。これらの４つの壁部は、左右方向に相対向する一対の側壁部２３，２４と、上下方向に相対向する上壁部２５及び底壁部２６とからなる。両側壁部２３，２４は、上流リテーナ１２では、互いに平行又はそれに近い関係にある。上壁部２５及び底壁部２６は、上流リテーナ１２では、互いに平行又はそれに近い関係にある。両側壁部２３，２４は、下流リテーナ１５では、左右方向の間隔が下流側ほど拡大するように傾斜している。上壁部２５及び底壁部２６は、下流リテーナ１５では、上下方向の間隔が下流側ほど拡大するように傾斜している。
【００５０】
図６及び図１０に示すように、下流リテーナ１５の右側の側壁部２４であって、上下方向の中央部分には、右方へ向けて軸部１７が突設されている。同側壁部２４において、軸部１７よりも上記流れ方向の上流部であって、上下方向に互いに離間した２箇所には、右方へ向けて軸部１８がそれぞれ突設されている。
【００５１】
リテーナ本体１１における右側の側壁部２４の上部であって、上記流れ方向に互いに離間した２箇所には、右方へ向けてガイドピン１４，１９が突設されている。本実施形態では、一方のガイドピン１４が上流リテーナ１２に設けられ、他方のガイドピン１９が下流リテーナ１５に設けられている。
【００５２】
図２及び図５に示すように、ベゼル２７は、リテーナ１０の最下流部分を構成する部材である。ベゼル２７は、その複数箇所に設けられた係止孔２８において、下流リテーナ１５の側壁部２３，２４の対応する箇所に設けられた係止突起２１に係止されることにより、リテーナ本体１１に連結されている（図１０参照）。ベゼル２７において、通風路２２の下流端となる箇所には、空調用空気Ａ１が吹き出される縦長の吹出口２９が形成されている。ベゼル２７において、吹出口２９の周りの部分は、空調用レジスタの意匠面を構成している。ベゼル２７において吹出口２９から右方へ離間した箇所には、縦長の窓部３３が形成されている。
【００５３】
図３、図５及び図１１に示すように、下流リテーナ１５における上壁部２５及び底壁部２６とベゼル２７との境界部分であって、左右方向へ互いに離間した複数箇所（本実施形態では３箇所）には、それぞれ軸受部３４が設けられている。
【００５４】
図４及び図６に示すように、リテーナ本体１１における両側壁部２３，２４であって、下流リテーナ１５と上流リテーナ１２との境界部分の複数箇所には軸受部３５が設けられている。側壁部２３，２４毎の軸受部３５は上下方向に互いに離間した箇所に位置している。
【００５５】
さらに、図６及び図１１に示すように、上流リテーナ１２における上壁部２５及び底壁部２６であって、上下方向に相対向する箇所には軸受部３６が設けられている。
＜下流フィン群＞
図５及び図１１に示すように、下流フィン群は、複数（３つ）の下流フィンからなる。各下流フィンは、吹出口２９から吹き出す空調用空気Ａ１の左右方向における向きを変更するためのものであり、上下方向及び通風方向に延びる板状をなしている。複数の下流フィンは、左右方向には略等間隔で互いに略平行に離間した状態で配置されている。３つの下流フィンを区別するために、左右方向の中央部に位置するものを「下流フィン４１」といい、その左右両隣に位置するものを「下流フィン４２」というものとする。
【００５６】
各下流フィン４１，４２の下流側の端部には、上下方向へ延びるフィン軸４３がそれぞれ設けられている。下流フィン４１，４２毎のフィン軸４３は、上記軸受部３４により下流リテーナ１５及びベゼル２７に支持されている。
【００５７】
なお、下流フィン４１におけるフィン軸４３の下部は、下側の軸受部３４に装着された弾性部材４４に弾性的に接触されている。この形態の接触により、下流フィン４１が傾動されるときに弾性部材４４とフィン軸４３との間に摺動抵抗が発生し、適度な荷重が付与される。
【００５８】
下流フィン４１，４２毎のフィン軸４３は、上壁部２５から上方へ露出している。各フィン軸４３において上壁部２５から露出した部分にはアーム４５が形成されている。各アーム４５は、フィン軸４３を起点として上流側へ延びており、その延出端に連結ピン４６を有している。
【００５９】
これらの連結ピン４６は、波形板状をなす連結部材４７によって相互に連結されている。上記連結ピン４６及び連結部材４７により、下流フィン４１及び両下流フィン４２を機械的に連結し、両下流フィン４２を下流フィン４１と同じ傾向の傾きとなるように同下流フィン４１に同期した状態で傾動させるリンク機構ＬＭが構成されている。
【００６０】
＜操作ノブ４８＞
操作ノブ４８は、吹出口２９から吹き出される空調用空気Ａ１の向きを変える際に乗員によって操作される部材であり、上記下流フィン４１に外嵌されている。操作ノブ４８は、下流フィン４１と一緒に、フィン軸４３を支点として、左右方向へ傾動可能であり、また、下流フィン４１上をスライドすることで、上下方向へ変位可能である。
【００６１】
操作ノブ４８には、上記流れ方向の上流側へ向けて延びる二股状のフォーク部４９が左右方向へ傾動可能に支持されている。フォーク部４９は、操作ノブ４８の上下方向への動き（スライド）を、後述する上流フィン５１に伝達するためのものである。
【００６２】
＜上流フィン群＞
図６及び図１１に示すように、上流フィン群は、通風路２２内の上記下流フィン群よりも、通風方向の上流側に配列された複数（７つ）の上流フィンからなる。各上流フィンは、吹出口２９から吹き出す空調用空気Ａ１の上下方向における向きを変更するためのものであり、左右方向及び通風方向へ延びる板状をなしている。複数の上流フィンは、上下方向には互いに離間した状態で配置されている。ここで、複数の上流フィンを区別するために、上下方向における中央部に位置するものを「上流フィン５１」といい、それ以外のものを「上流フィン５２」というものとする。
【００６３】
各上流フィン５１，５２の左右方向における両方の端面には、同方向へ延びるフィン軸５３がそれぞれ設けられている。各フィン軸５３は、通風方向については、上流フィン５１，５２の中間部分に位置している。各上流フィン５１，５２の左右の両フィン軸５３は、上記軸受部３５により両側壁部２３，２４に対し傾動可能に支持されている。
【００６４】
各上流フィン５１，５２における右方のフィン軸５３は、右側の側壁部２４から右方に突出している。これらの突出するフィン軸５３の先端部には、それぞれアーム５５が形成されている。各アーム５５は、フィン軸５３を起点として通風方向の上流側へ延びており、その延出端に連結ピン５６を有している。
【００６５】
上流フィン５１は、他の上流フィン５２とは異なり、切欠き部５７及び伝達軸部５８を有している。切欠き部５７は、空調用空気Ａ１の流れ方向については、上流フィン５１の下流部に位置している。また、各切欠き部５７は、左右方向については、上流フィン５１の中央部分に位置している。伝達軸部５８は、切欠き部５７の下流端において左右方向へ延びており、切欠き部５７の左右の壁面間に架設されている。伝達軸部５８は、操作ノブ４８の上記フォーク部４９によって上下両側から挟み込まれている。そのため、操作ノブ４８が中央の上流フィン５１に沿って上下方向へスライドされると、フォーク部４９及び伝達軸部５８を通じて上流フィン５１に同方向の力が加えられ、上流フィン５１がフィン軸５３を支点として同方向へ傾動させられる。
【００６６】
＜シャットダンパ６１＞
図８及び図１１に示すように、シャットダンパ６１は、リテーナ１０内の上流フィン群よりも上流側で通風路２２の開度を調整するためのものである。シャットダンパ６１は、左右方向よりも上下方向に細長い長方形の板状をなすダンパプレート６２と、ダンパプレート６２の周囲に装着されたシール部材６３とを備えている。ダンパプレート６２の上下両端部には、ダンパ軸６４が設けられている。シャットダンパ６１は、両ダンパ軸６４において両軸受部３６により上壁部２５及び底壁部２６に支持されている。図３に示すように、上側のダンパ軸６４は、上壁部２５よりも上側で径方向外方へ突出する突出部６５を有している。突出部６５は、その突出端部に、上方へ延びる伝達軸部６６を有している。
【００６７】
＜連結プレート７１＞
図６及び図１０に示すように、連結プレート７１は、全ての上流フィン５１，５２をそれらの連結ピン５６において連結するためのものである。連結プレート７１は、上下方向に細長い板状をなしており、上流リテーナ１２の右側の側壁部２４から右方へ僅かに離間した箇所に配置されている。
【００６８】
連結プレート７１には、上流フィン５１，５２と同数（７つ）のカム溝が上下方向に列をなして設けられている。７つのカム溝を区別するために、配列方向（上下方向）の中央部に位置するものを「カム溝７２」といい、それ以外のものを「カム溝７３」というものとする。上流フィン５１における連結ピン５６がカム溝７２に係合され、各上流フィン５２における連結ピン５６が、対応するカム溝７３に係合されることで、全ての上流フィン５１，５２の連結プレート７１に対する連結がなされている。
【００６９】
カム溝７２は、空調用空気Ａ１の流れ方向に延びる直線状をなしている。複数のカム溝７３は、中央のカム溝７２を挟んで線対称となる形状に形成されている。カム溝７２よりも上側のカム溝７３は、上記流れ方向における下流側ほどカム溝７２から上方へ遠ざかる形状に形成されている。カム溝７２よりも下側のカム溝７３は、上記流れ方向における下流側ほどカム溝７２から下方へ遠ざかる形状に形成されている。
【００７０】
各カム溝７２，７３は、平行送風領域Ｚｐ（図１０参照）と拡散送風領域Ｚｄ（図１４（ａ）参照）とを有している。
平行送風領域Ｚｐは、隣り合う上流フィン５１，５２を図１１に示すように互いに平行な状態（平行送風モード）にするための領域である。ここでの平行な状態には、厳密に平行の関係にあることが含まれるほか、平行に近い状態も含まれる。拡散送風領域Ｚｄは、図１４（ｂ）に示すように、隣り合う上流フィン５１，５２を、それらの上流端の間隔が下流端の間隔よりも狭い状態（拡散送風モード）にするための領域である。
【００７１】
平行送風領域Ｚｐは、各カム溝７２，７３において、上記流れ方向における下流部に設定されている（図１０参照）。拡散送風領域Ｚｄは、各カム溝７２，７３において、平行送風領域Ｚｐよりも上流側に設定されている（図１４（ａ）参照）。
【００７２】
＜駆動機構ＤＭ＞
図７及び図１０に示すように、駆動機構ＤＭは、操作部材７７及び一対のギヤ８１，８４を備えている。
【００７３】
操作部材７７は、上記軸部１７に回動可能に支持されている。操作部材７７の役割の１つに、上記流れ方向における連結プレート７１の位置を変更することで、複数の上流フィン５１，５２の送風モードを、平行送風モードと拡散送風モードとの間で切り替えることがある。操作部材７７の一部は、上記ベゼル２７の窓部３３から下流側へ露出している（図１、図２参照）。
【００７４】
両ギヤ８１，８４は、上下方向に並んだ状態で配置されていて、上記軸部１８に回動可能に支持されている。両ギヤ８１，８４は互いに噛み合わされている。
下側のギヤ８１には、上記流れ方向における下流側へ延びる延出部８１ａが形成されており、この延出部８１ａの延出端部に第１伝達軸８２が設けられている。この第１伝達軸８２は、ギヤ８１の回動中心（軸部１８）、及び後述するガイド突起８３のいずれからも偏倚した箇所に位置している。
【００７５】
操作部材７７において、その回動中心（軸部１７）から偏倚した箇所には、上記第１伝達軸８２が係合される第１被係合部７８が設けられている。第１被係合部７８は、長孔によって構成されており、操作部材７７の回動を第１伝達軸８２に伝達する第１伝達領域Ｚ１ａと、伝達しない第１非伝達領域Ｚ１ｂとを有している。第１非伝達領域Ｚ１ｂは、軸部１７を中心とする円弧状に形成されている。第１伝達領域Ｚ１ａは、第１非伝達領域Ｚ１ｂの上流端から操作部材７７の略径方向外方へ延びている。
【００７６】
第１伝達領域Ｚ１ａのうち、送風モードが平行送風モードのときに第１伝達軸８２が位置する領域は、拡散送風モードのときに第１伝達軸８２が位置する領域を介して第１非伝達領域Ｚ１ｂに繋がっている。
【００７７】
駆動機構ＤＭには許容部が設けられている。許容部は、操作ノブ４８に対し、フィン軸５３を支点として上流フィン５１，５２を傾動させる操作が行なわれた場合、各連結ピン５６が平行送風領域Ｚｐにある場合に限り、各カム溝７２，７３において各連結ピン５６の位置する領域を平行送風領域Ｚｐに保持しつつ、連結プレート７１が上下方向へ移動するのを許容するためのものである。
【００７８】
より詳しくは、連結プレート７１の右側面における下部には、ガイドプレート部７４が設けられている。ガイドプレート部７４は、上下方向に延びるガイド孔７４ａを有している。同様に、連結プレート７１の右側面における上部には、ガイドプレート部７５が設けられている。ガイドプレート部７５は、上下方向に延びるガイド孔７５ａを有している。
【００７９】
上側のギヤ８４には、その回動中心（軸部１８）から略上方へ向けて延びるレバー８４ｂが形成されている。レバー８４ｂの延出端部にはガイド突起８５が設けられており、このガイド突起８５が上側のガイド孔７５ａに係合されている。下側のギヤ８１には、その回動中心（軸部１８）から略下方へ向けて延びるレバー８１ｂが形成されている。レバー８１ｂの延出端部にはガイド突起８３が設けられており、このガイド突起８３が下側のガイド孔７４ａに係合されている。
【００８０】
そして、上述した両ガイド孔７５ａ，７４ａと両ガイド突起８５，８３とによって上記許容部が構成されている。この許容部は、操作部材７７により送風モードが拡散送風モードに設定された場合にのみ、両ガイド突起８５，８３を、各ガイド孔７５ａ，７４ａのうち他方のガイド孔７４ａ，７５ａから最も遠い箇所に位置させることで、連結プレート７１が上下方向へ移動するのを規制する。
【００８１】
＜伝達機構ＴＭ＞
伝達機構ＴＭは、上記操作部材７７の回動を前記シャットダンパ６１のダンパ軸６４に伝達したり、その伝達を遮断したりするための機構であり、操作部材７７とダンパ軸６４との間に設けられている。伝達機構ＴＭは、上記流れ方向へ移動可能に配置されたリンク部材８６を備えている。リンク部材８６は、上記流れ方向に延びる本体リンク部８７と、その本体リンク部８７の上流部から略斜め上左方へ向けて延びる分岐リンク部８８とを備えている。本体リンク部８７において、上記流れ方向に互いに離間した２箇所には、それぞれ同方向に延びるガイド孔８９が形成されている。各ガイド孔８９には、対応する上記ガイドピン１４，１９が係合されている。両ガイドピン１４，１９は、本体リンク部８７が、上記流れ方向へ移動するのを許容するが、それ以外の方向へ移動するのを規制する機能を有している。表現を変えると、両ガイドピン１４，１９及び両ガイド孔８９は、本体リンク部８７が流れ方向へ移動するのをガイドする機能を有している。
【００８２】
分岐リンク部８８の延出端部には左右方向に延びる伝達孔９１が形成されている（図３、図１５参照）。そして、この伝達孔９１に、上記ダンパ軸６４の伝達軸部６６が係合されている。この係合により、リンク部材８６の上流側の端部がダンパ軸６４の回動中心から偏倚した箇所に連結されている。
【００８３】
本体リンク部８７の下流側の端部は、下流側へ向けて斜め下方へ延びる延出部８７ａを有している。この延出部８７ａの下端、すなわち、本体リンク部８７の下流側の端部には、左方へ延びる第２伝達軸９２が設けられている。
【００８４】
上記操作部材７７において、その回動中心（軸部１７）及び第１被係合部７８のいずれからも偏倚した箇所には、上記第２伝達軸９２が係合される第２被係合部７９が設けられている。第２被係合部７９は、長孔によって構成されており、操作部材７７の回動を第２伝達軸９２に伝達する第２伝達領域Ｚ２ａと、伝達しない第２非伝達領域Ｚ２ｂとを有している。第２非伝達領域Ｚ２ｂは、軸部１７を中心とする円弧状に形成されている。第２伝達領域Ｚ２ａは、第２非伝達領域Ｚ２ｂの上流端から操作部材７７の略径方向外方へ延びている。
【００８５】
第２伝達領域Ｚ２ａのうち、シャットダンパ６１により、通風路２２の開度が採り得る最小にされるときに第２伝達軸９２が位置する領域は、同開度が採り得る最大にされるときに第２伝達軸９２が位置する領域を介して第２非伝達領域Ｚ２ｂに繋がっている。
【００８６】
本実施形態では、第１被係合部７８における第１伝達軸８２の位置と、第２被係合部７９における第２伝達軸９２の位置とについて、次の条件を満たす設定がなされている。
条件１：第２伝達軸９２は、第１伝達軸８２が第１伝達領域Ｚ１ａに位置するときには、第２非伝達領域Ｚ２ｂに位置する（図１０等）。
【００８７】
条件２：第２伝達軸９２は、第１伝達軸８２が第１非伝達領域Ｚ１ｂに位置するときには第２伝達領域Ｚ２ａに位置する（図１４（ａ））。
上記のようにして、本実施形態の空調用レジスタが構成されている。次に、この空調用レジスタの作用について説明する。
【００８８】
図８及び図９は、全ての下流フィン４１，４２が上流リテーナ１２における左右の両側壁部２３，２４に対し略平行になった状態を示している。この状態を下流フィン４１，４２の中立状態というものとする。
【００８９】
空調用空気Ａ１は、隣り合う下流フィン４１，４２間等を、それらの下流フィン４１，４２等に沿う方向へ向けて、互いに平行な状態で流れることで、左右方向については、その中央部に向けて真っ直ぐに吹出口２９から吹き出される。
【００９０】
ここで、「下流フィン４１，４２間等」には、隣り合う下流フィン４１，４２間だけでなく、左端の下流フィン４２と左側の側壁部２３との間や、右端の下流フィン４２と右側の側壁部２４との間も含まれる。
【００９１】
これに対し、操作ノブ４８に対し、左方又は右方に向かう力が加えられると、操作ノブ４８が下流フィン４１と一緒になって、フィン軸４３を支点として、その力の加えられた方向へ傾動される。この傾動は、リンク機構ＬＭ（図１１参照）を介して両下流フィン４２に伝達される。この伝達により、両下流フィン４２が中央の下流フィン４１に同期して、操作ノブ４８の操作された側へ傾動する。空調用空気Ａ１は、上記のように傾動された下流フィン４１，４２に沿って流れることで、向きを変えられて吹出口２９から斜め右方又は斜め左方へ向けて吹き出す。
【００９２】
なお、以下の説明は、下流フィン４１，４２が中立状態にあることを前提としている。
図１０は、操作部材７７が、回動できる領域（可動領域）の一方の端に位置しているときの各部の状態を示している。
【００９３】
このとき、第１伝達軸８２は、第１被係合部７８における第１伝達領域Ｚ１ａのうち、第１非伝達領域Ｚ１ｂから最も遠ざかった箇所（上流端）に位置している。第２伝達軸９２は、第２非伝達領域Ｚ２ｂのうち、第２伝達領域Ｚ２ａから最も遠ざかった箇所（下流端）に位置している。
【００９４】
図８に示すように、シャットダンパ６１が、上流リテーナ１２における左右の両側壁部２３，２４に対し略平行な状態となり、通風路２２の開度が最大（全開状態）となっている。そのため、リテーナ本体１１に流入した空調用空気Ａ１は、シャットダンパ６１の左側と右側とに分かれて流れる。
【００９５】
また、このときには、図１１に示すように、操作ノブ４８が、上下方向における可動領域の中央部分に位置している。
ここで、各上流フィン５１，５２は、フィン軸５３を支点として傾動可能である。中央の上流フィン５１の傾きは、直線状をなす中央のカム溝７２における連結ピン５６の位置によって決定される。また、複数の上流フィン５２のそれぞれの傾きは、対応するカム溝７３における連結ピン５６の位置によって決定される。
【００９６】
図１０及び図１１に示すように、上流フィン５１，５２毎の連結ピン５６は、カム溝７２，７３において、上記流れ方向の下流部に設定された平行送風領域Ｚｐに位置している。
【００９７】
各上流フィン５１，５２では、連結ピン５６がフィン軸５３と同じ高さに位置している。全ての上流フィン５１，５２が、上流リテーナ１２における上壁部２５及び底壁部２６に対し略平行な状態となっている。
【００９８】
そのため、シャットダンパ６１を通過した空調用空気Ａ１は、隣り合う上流フィン５１，５２間等を、それらの上流フィン５１，５２等に沿う方向へ向けて、互いに平行な状態で流れることで、上下方向については、その中央部に向けて真っ直ぐに吹出口２９から吹き出される。
【００９９】
ここで、「上流フィン５１，５２間等」には、隣り合う上流フィン５１，５２間だけでなく、上端の上流フィン５２と上壁部２５との間や、下端の上流フィン５２と底壁部２６との間も含まれる。
【０１００】
このときには、上下の両ガイド突起８５，８３は、対応するガイド孔７５ａ，７４ａにおける上下方向の中央部分に位置している。仮に、上側のガイド突起８５が上側のガイド孔７５ａの上端部に位置し、かつ下側のガイド突起８３が下側のガイド孔７４ａの下端部に位置すると、両ガイド突起８５，８３によって、連結プレート７１の上下方向の移動が規制される。しかし、両ガイド突起８５，８３の少なくとも一方がガイド孔７５ａ，７４ａの上記以外の箇所に位置する場合には、こうした移動規制がなされない。各ガイド突起８５，８３が上述したように、ガイド孔７５ａ，７４ａの中央部分に位置する場合には、連結プレート７１は、上方へも下方へも移動することを許容される。
【０１０１】
従って、図１０の状態から、フィン軸５３を支点として上流フィン５１，５２を傾動させるために、操作ノブ４８に対し、上下方向、例えば上方へ向かう力が加えられると、その力が、フォーク部４９及び伝達軸部５８を介して中央の上流フィン５１に伝達される。この上流フィン５１がフィン軸５３を支点として下流側ほど高くなるように傾動される。また、上流フィン５１のアーム５５、連結ピン５６及びカム溝７２を通じて連結プレート７１に対し、下方へ向かう力が加わる。図１２（ａ），（ｂ）に示すように、各ガイド突起８５，８３のガイド孔７５ａ，７４ａにおける位置が上方へ変化することで、各カム溝７２，７３において各連結ピン５６の位置する領域が、平行送風領域Ｚｐに保持されつつ、連結プレート７１が上下方向に延びる姿勢を維持しながら下方へ平行移動する。この移動に伴い、各上流フィン５１，５２の連結ピン５６がフィン軸５３よりも低い箇所に移動する。上流フィン５１，５２が互いに平行な状態で、下流側ほど高くなるように傾動され、平行に吹き出される空調用空気Ａ１の向かう方向が、水平から上方へ変更される。
【０１０２】
上記とは逆に、図１０の状態から、操作ノブ４８に対し、下方へ向かう力が加えられると、図１３（ａ），（ｂ）に示すように、上記上方へ向かう力が加えられた場合とは反対方向へ各部が動作する。各ガイド突起８５，８３のガイド孔７５ａ，７４ａにおける位置が下方へ変化することで、各カム溝７２，７３において各連結ピン５６の位置する領域が、平行送風領域Ｚｐに保持されつつ、連結プレート７１が上下方向に延びる姿勢を維持しながら上方へ平行移動する。この移動に伴い、各上流フィン５１，５２の連結ピン５６がフィン軸５３よりも高い箇所に移動する。上流フィン５１，５２が互いに平行な状態で、下流側ほど低くなるように傾動され、平行に吹き出される空調用空気Ａ１の向かう方向が、水平から下方へ変更される。
【０１０３】
一方、図１０の状態から、操作部材７７に対し、下方へ向かう力が加えられて、同操作部材７７が同方向へ回動されると、第１被係合部７８及び第２被係合部７９が操作部材７７の回動中心（軸部１７）の周りを図１０の反時計回り方向へ旋回する。この旋回により、図１４（ａ），（ｂ）に示すように、第１被係合部７８における第１伝達軸８２の位置と、第２被係合部７９における第２伝達軸９２の位置とが変化する。第１伝達軸８２は、第１伝達領域Ｚ１ａのうち第１非伝達領域Ｚ１ｂから遠ざかった箇所（上流端）から同第１非伝達領域Ｚ１ｂに隣接する箇所（下流端）に移動する。また、第２伝達軸９２は、第２非伝達領域Ｚ２ｂのうち第２伝達領域Ｚ２ａから遠ざかった箇所（下流端）から同第２伝達領域Ｚ２ａに隣接する箇所（上流端）に移動する。
【０１０４】
操作部材７７の回動が第１被係合部７８及び第１伝達軸８２を介して下側のギヤ８１に伝達されて、同ギヤ８１が時計回り方向へ回動する。この回動に伴い、ガイド突起８３が同ギヤ８１の回動中心（軸部１８）の周りを時計回り方向へ旋回する。この旋回に伴い、ガイド突起８３がガイド孔７４ａに沿って下方へ移動する。
【０１０５】
また、下側のギヤ８１の上記回動に伴い、同ギヤ８１に対する上側のギヤ８４の噛み合い位置が変化し、同上側のギヤ８４が下側のギヤ８１とは反対方向である反時計周り方向へ回動する。この回動に伴い、ガイド突起８５がギヤ８４の回動中心（軸部１８）の周りを反時計回り方向へ旋回する。この旋回に伴い、ガイド突起８５がガイド孔７５ａに沿って上方へ移動する。
【０１０６】
両ガイド突起８５，８３の上記移動により、両ガイド突起８５，８３が互いに上下方向へ離間する。
また、両ガイド突起８５，８３の上記旋回により、連結プレート７１に対し、下流側へ向かう力が、ガイド孔７５ａ，７４ａ及びガイドプレート部７５，７４を介して伝わり、連結プレート７１が下流側へ移動する。この移動に伴い、各カム溝７２，７３が同方向へ平行移動する。各カム溝７２，７３において連結ピン５６の位置する領域が、平行送風領域Ｚｐから、それよりも上流の拡散送風領域Ｚｄに変化する。
【０１０７】
上述したように、カム溝７２は、空調用空気Ａ１の流れ方向に延びる直線状をなしている。カム溝７２よりも上側のカム溝７３は、上記流れ方向における下流側ほどカム溝７２から上方へ遠ざかる形状に形成されている。カム溝７２よりも下側のカム溝７３は、上記流れ方向における下流側ほどカム溝７２から下方へ遠ざかる形状に形成されている。
【０１０８】
そのため、上記のように連結ピン５６の位置する領域が変化することで、中央の上流フィン５１は水平状態（上流リテーナ１２における上壁部２５及び底壁部２６に対し略平行な状態）を維持する。中央の上流フィン５１挟んで互いに線対称の位置関係にある上流フィン５２は互いに反対方向へ傾く。中央の上流フィン５１よりも上側の上流フィン５２は下流側ほど高くなるように傾斜し、中央の上流フィン５１よりも下側の上流フィン５２は下流側ほど低くなるように傾斜する。しかも、複数の上流フィン５２は、上流フィン５１から遠いものほど大きく傾斜する。
【０１０９】
このように、隣り合う上流フィン５１，５２は、それらの上流端の間隔が下流端の間隔よりも狭くなるように傾動される。
空調用空気Ａ１は、隣り合う上流フィン５１，５２間等を、同上流フィン５１，５２等に沿って流れることで吹出口２９から拡散送風モードで吹き出す。吹き出した空調用空気Ａ１は、下流側ほど広い領域に行き渡るように拡散される。送風モードとして平行送風モードが選択された場合よりも乗員の広い部位に対し、弱い空調用空気Ａ１が吹付けられる。
【０１１０】
また、上記拡散送風モードでは、上側のガイド突起８５が上側のガイド孔７５ａの上端部に到達し、下側のガイド突起８３が下側のガイド孔７４ａの下端部に到達する。このように、拡散送風モードでは、両ガイド突起８５，８３が互いに最も離間し、各ガイド孔７５ａ，７４ａのうち他方のガイド孔７４ａ，７５ａから最も遠い箇所に位置する。連結プレート７１が、ガイド孔７５ａ，７４ａの延びる方向である上下方向へ移動することを両ガイド突起８５，８３によって規制される。
【０１１１】
従って、フィン軸５３を支点として上流フィン５１，５２を傾動させるために、操作ノブ４８を上下方向へスライド移動させる操作が行なわれても、各連結ピン５６がカム溝７２，７３の拡散送風領域Ｚｄに保持されつつ連結プレート７１が上下方向へ移動することが許容されない。隣り合う上流フィン５１，５２は、それらの上流端の間隔が下流端の間隔よりも狭い状態を保持しつつ傾動することができず、拡散される空調用空気Ａ１の向かう方向が変更されない。
【０１１２】
従って、拡散送風モードを維持しながら上流フィン５１，５２が傾動される場合に比べると、拡散送風モードにされた複数の上流フィン５１，５２のうち、上端に位置する上流フィン５２をリテーナ本体１１の上壁部２５に接近させ、下端に位置する上流フィン５２を底壁部２６に接近させることができる。これらの接近により、拡散される空調用空気Ａ１の範囲を、拡散送風モードを維持しながら上流フィン５１，５２が傾動される場合よりも広くすることができる。
【０１１３】
なお、このときには、操作部材７７の回動が第２伝達軸９２に伝達されない。リンク部材８６が移動せず、シャットダンパ６１が傾動せず、通風路２２の開度調整が行なわれない。通風路２２の開度は、採り得る最大（全開状態）のままである。
【０１１４】
上記図１４（ａ），（ｂ）に示すように、送風モードが拡散送風モードに切り替えられた状態から、操作部材７７がさらに下方へ回動操作されると、それに伴い第１被係合部７８が、操作部材７７の回動中心（軸部１７）の周りを反時計回り方向へ旋回することから、第１伝達軸８２が第１伝達領域Ｚ１ａから第１非伝達領域Ｚ１ｂに移る。第１伝達軸８２は、操作部材７７の下方への回動操作量が多くなるに従い、第１非伝達領域Ｚ１ｂのうち第１伝達領域Ｚ１ａから下流側へ遠ざかる。また、操作部材７７の下方への回動操作に伴い第２被係合部７９が、操作部材７７の回動中心（軸部１７）の周りを反時計回り方向へ旋回することから、第２伝達軸９２は、第２伝達領域Ｚ２ａのうち第２非伝達領域Ｚ２ｂに隣接する箇所（下流端）から同第２非伝達領域Ｚ２ｂから遠ざかった箇所（上流端）に移動する。
【０１１５】
リンク部材８６の下流側の端部の第２伝達軸９２が、操作部材７７の回動中心（軸部１７）の周りを反時計回り方向へ旋回し、リンク部材８６が下流側へ平行移動する。これに伴い、リンク部材８６の上流側の端部が下流側へ移動する。シャットダンパ６１がダンパ軸６４を支点として、通風路２２の開度を小さくする方向へ傾動させられる。従って、吹出口２９から吹き出される空調用空気Ａ１の勢いを、操作部材７７の回動操作に応じて徐々に（無段階に）弱めていくことができる。
【０１１６】
第２伝達軸９２が第２伝達領域Ｚ２ａの第２非伝達領域Ｚ２ｂから最も遠ざかった箇所（上流端）に達すると、シャットダンパ６１は図１５において破線で示す位置まで傾動する。シール部材６３が、上壁部２５及び底壁部２６に加え、両側壁部２３，２４に接触する。通風路２２の開度が最小となり、空調用空気Ａ１がシャットダンパ６１よりも下流側へ流れることを規制され、吹出口２９からの空調用空気Ａ１の吹き出しが遮断される。
【０１１７】
ところで、通風路２２の開度が最小の上記状態から、操作部材７７が上記とは逆の方向（上方）へ回動操作されると、シャットダンパ６１が通風路２２の開度を大きくする方向へ傾動される。開度が採り得る最大にされた状態から、操作部材７７が上記方向へさらに回動操作されると、送風モードが拡散送風モードから平行送風モードに切り替えられる。従って、吹出口２９から吹き出される空調用空気Ａ１の勢いを、操作部材７７の操作に応じて徐々に（無段階に）強めていくことができる。
【０１１８】
なお、上記のように、送風モードが拡散送風モードから平行送風モードに切り替えられる場合には、第１伝達軸８２は、第１伝達領域Ｚ１ａのうち第１非伝達領域Ｚ１ｂに隣接した箇所（下流端）から遠ざかった箇所（上流端）に移動する。また、第２伝達軸９２は、第２非伝達領域Ｚ２ｂのうち第１伝達領域Ｚ１ａに隣接する箇所（上流端）から第１伝達領域Ｚ１ａから遠ざかった箇所（下流端）に移動する。
【０１１９】
このように、単一の操作部材７７を回動操作することで、送風モードを切り替えること、及び平行送風モードでの空調用空気Ａ１の吹き出し方向の変更を許容することに加え、シャットダンパ６１を駆動して通風路２２の開度を調整することができる。
【０１２０】
なお、上記実施形態は、これを以下のように変更した変形例として実施することもできる。
・第１被係合部７８及び第２被係合部７９は、操作部材７７を貫通する長孔に代えて、貫通せず底を有する溝部によって構成されてもよい。
【０１２１】
・カム溝７２，７３は、連結プレート７１の厚み方向に貫通されたものであってもよいし、貫通されず底を有するものであってもよい。
・ガイド孔７５ａ，７４ａは、ガイドプレート部７５，７４の厚み方向に貫通されたものであってもよいし、貫通されず底を有するものであってもよい。
【０１２２】
・上流フィン５１，５２に代えて、下流フィン４１，４２が、平行送風モード及び拡散送風モードの設定される対象のフィンとされてもよい。
・操作部材７７とは別の部材が操作されることによって、シャットダンパ６１が傾動されるように変更されてもよい。
【０１２３】
・上記空調用レジスタは、車室内においてインストルメントパネルとは異なる箇所に設けられる空調用レジスタにも適用可能である。
・上記空調用レジスタは、空調装置から送られてきて室内に吹き出す空調用空気Ａ１の向きをフィンによって調整することのできるものであれば、車両に限らず広く適用可能である。
【０１２４】
・上記空調用レジスタは、吹出口２９が横長となるように配置されるタイプの空調用レジスタにも適用可能である。この場合、下流フィン４１，４２として、それぞれ左右方向へ延びるものが用いられ、これらが上下方向に配列される。複数の上流フィン５１，５２としては、それぞれ上下方向へ延びるものが用いられ、これらが互いに左右方向に離間した状態で配列される。
【０１２５】
・上記空調用レジスタは、吹出口２９が正方形又はそれに近い形状を有する空調用レジスタにも適用可能である。
【符号の説明】
【０１２６】
１０…リテーナ、２２…通風路、２９…吹出口、５１，５２…上流フィン（フィン）、５３…フィン軸、５６…連結ピン、６１…シャットダンパ、６４…ダンパ軸、７１…連結プレート，７２，７３…カム溝、７４ａ，７５ａ…ガイド孔（許容部の一部を構成）、７７…操作部材、７８…第１被係合部（被係合部）、７９…第２被係合部、８１，８４…ギヤ、８２…第１伝達軸（伝達軸）、８３，８５…ガイド突起（許容部の一部を構成）、８６…リンク部材、９２…第２伝達軸、Ａ１…空調用空気、ＤＭ…駆動機構、ＴＭ…伝達機構、Ｚｄ…拡散送風領域、Ｚｐ…平行送風領域、Ｚ１ａ…第１伝達領域、Ｚ１ｂ…第１非伝達領域、Ｚ２ａ…第２伝達領域、Ｚ２ｂ…第２非伝達領域。
【図１】
0006700592.tif 000002
【図２】
0006700592.tif 000003
【図３】
0006700592.tif 000004
【図４】
0006700592.tif 000005
【図５】
0006700592.tif 000006
【図６】
0006700592.tif 000007
【図７】
0006700592.tif 000008
【図８】
0006700592.tif 000009
【図９】
0006700592.tif 000010
【図１０】
0006700592.tif 000011
【図１１】
0006700592.tif 000012
【図１２】
0006700592.tif 000013
【図１３】
0006700592.tif 000014
【図１４】
0006700592.tif 000015
【図１５】
0006700592.tif 000016